(57)【要約】 【課題】  記録媒体における不具合の責任の明確化を図ることができる履歴情報記憶装置および履歴情報記憶方法を提供する。【解決手段】  ケーシングからハードディスク２の離脱を許容する許容状態と、ケーシングからハードディスク２の離脱が規制される規制状態とにわたって切替え可能に設けられるカバーと、カバーが許容状態に切替えられたことを検出可能なセンサ７と、履歴情報を更新しかつ記憶する外付メモリ８であって、センサ７の検出結果に基づいて、カバーが許容状態に切替えられたときの履歴情報を記憶する外付メモリ８とを備える。【選択図】      図１
2005251349.tif 000002
【特許請求の範囲】
【請求項１】
本体からの離脱が可能な記録媒体であって、該記録媒体の前記本体からの離脱に関連する履歴情報が記憶可能であることを特徴とする履歴情報記憶装置。
【請求項２】
本体に設けられる規制手段であって、前記本体から記録媒体の離脱を許容する許容状態と、前記本体から該記録媒体の離脱が規制される規制状態とにわたって切替え可能に設けられる規制手段と、
前記規制手段が許容状態に切替えられたことを検出可能な検出手段と、
該検出手段の検出結果に基づいて、規制手段が切替えられたときの履歴情報を更新しかつ記憶する記憶手段とを有することを特徴とする履歴情報記憶装置。
【請求項３】
履歴情報は位置情報であることを特徴とする請求項１または２に記載の履歴情報記憶装置。
【請求項４】
履歴情報は時間情報を含むことを特徴とする請求項１〜３のいずれか１つに記載の履歴情報記憶装置。
【請求項５】
前記規制手段が許容状態に切替えられたとき、履歴情報の更新および消去を禁止するように制御する制御手段をさらに有することを特徴とする請求項２に記載の履歴情報記憶装置。
【請求項６】
前記制御手段は、規制手段が許容状態に切替えられたとき、所定の機器を動作停止させることを特徴とする請求項２または５に記載の履歴情報記憶装置。
【請求項７】
制御手段には、予め定める識別情報が格納され、
制御手段は、この識別情報と入力手段により入力した情報とが合致することで、動作停止状態にある所定の機器を動作可能にすることを特徴とする請求項６に記載の履歴情報記憶装置。
【請求項８】
本体に設けられ、かつ本体からの離脱が規制される記録媒体であって、この記録媒体の本体からの離脱に関連する履歴情報を記憶する履歴情報記憶工程を有することを特徴とする履歴情報記憶方法。
【発明の詳細な説明】
【技術分野】
【０００１】
本発明は、履歴情報記憶装置および履歴情報記憶方法に関し、たとえばハードディスクドライブなどの記録媒体を備える機器などに適用される技術に関する。
【背景技術】
【０００２】
ディスクをモータで高速回転させ、磁気ヘッドを近づけてデータの読み書きを行う記録媒体（たとえばハードディスクドライブ）が実用に供されている。前記ハードディスクドライブは、本体に内蔵されており、ユーザによる調整、修理、分解、および改造などを目的とする本体からの離脱がたとえば特殊ねじなどによって規制されている。またハードディスクドライブの駆動中にこのハードディスクドライブの取り外し動作が検出されると、ハードディスクドライブの駆動を停止し電源供給を停止する技術なども提案されている（たとえば特許文献１）。
【０００３】
【特許文献１】特開平８−９６４９３号公報
【発明の開示】
【発明が解決しようとする課題】
【０００４】
前述の本体からの離脱を規制する技術では、専用工具を使用することで、本体からハードディスクドライブを離脱することが可能となる。特許文献１の技術においても、本体からハードディスクドライブが離脱することを防止することは不可能である。仮にユーザがハードディスクドライブを本体から故意に離脱させることに起因して、ハードディスクドライブ自体または本体が故障しても、その確証をハードディスクドライブ製造メーカが得ることは不可能であった。
【０００５】
本発明の目的は、記録媒体における不具合の責任の明確化を図ることができる履歴情報記憶装置および履歴情報記憶方法を提供することである。
【課題を解決するための手段】
【０００６】
本発明は、本体からの離脱が可能な記録媒体であって、該記録媒体の前記本体からの離脱に関連する履歴情報が記憶可能であることを特徴とする履歴情報記憶装置である。
【０００７】
本発明に従えば、記録媒体は本体からの離脱が可能である。記録媒体を本体から離脱するとき、その履歴情報が記憶される。
【０００８】
また本発明は、本体に設けられる規制手段であって、前記本体から記録媒体の離脱を許容する許容状態と、前記本体から該記録媒体の離脱が規制される規制状態とにわたって切替え可能に設けられる規制手段と、
前記規制手段が許容状態に切替えられたことを検出可能な検出手段と、
該検出手段の検出結果に基づいて、規制手段が切替えられたときの履歴情報を更新しかつ記憶する記憶手段とを有することを特徴とする履歴情報記憶装置である。
【０００９】
本発明に従えば、規制手段は、許容状態と規制状態とにわたって切替え可能に、本体に設けられる。規制手段が規制状態から許容状態に切替えられたとき、検出手段はその旨を検出する。記憶手段は、検出手段の検出結果に基づいて、規制手段が切替えられたときの履歴情報を更新しかつ記憶する。
【００１０】
また本発明は、履歴情報は位置情報であることを特徴とする。
本発明に従えば、記録媒体を本体から離脱するときの位置情報、または規制手段が許容状態に切替えられたときの位置情報が記憶される。したがって記録媒体を本体から離脱することが許容された場所で、記録媒体が本体から離脱されたのか否かを略特定することが可能となる。前記「略特定する」は「特定する」を含む。
【００１１】
また本発明は、履歴情報は時間情報を含むことを特徴とする。
本発明に従えば、記録媒体を本体から離脱するときの時間情報、または規制手段が許容状態に切替えられたときの時間情報が記憶される。したがって記録媒体を本体から離脱することが許容された場所での所定時間内において、記録媒体が本体から離脱されたのか否かを略特定することが可能となる。前記「略特定する」は「特定する」を含む。
【００１２】
また本発明は、前記規制手段が許容状態に切替えられたとき、履歴情報の更新および消去を禁止するように制御する制御手段をさらに有することを特徴とする。
【００１３】
本発明に従えば、制御手段は、規制手段が許容状態に切替えられたとき、履歴情報の更新および消去を禁止するように制御する。したがって規制手段が許容状態に切替えられたときの履歴情報を、確実に記憶することができる。
【００１４】
また本発明は、前記制御手段は、規制手段が許容状態に切替えられたとき、所定の機器を動作停止させることを特徴とする。
【００１５】
本発明に従えば、規制手段が許容状態に切替えられたとき、制御手段は所定の機器を動作停止させる。
【００１６】
また本発明は、制御手段には、予め定める識別情報が格納され、
制御手段は、この識別情報と入力手段により入力した情報とが合致することで、動作停止状態にある所定の機器を動作可能にすることを特徴とする。
【００１７】
本発明に従えば、制御手段には、予め定める識別情報が格納されている。制御手段は、この識別情報と入力手段により入力した情報とが合致すると、動作停止状態にある所定の機器を動作可能にする。逆に、制御手段は、識別情報と入力手段により入力した情報とが合致しないと、所定の機器は動作停止状態を維持する。
【００１８】
また本発明は、本体に設けられ、かつ本体からの離脱が規制される記録媒体であって、この記録媒体の本体からの離脱に関連する履歴情報を記憶する履歴情報記憶工程を有することを特徴とする履歴情報記憶方法である。
【００１９】
本発明に従えば、本体には記録媒体が設けられ、この記録媒体は本体からの離脱が規制される。履歴情報記憶工程において、記録媒体を本体から離脱するとき、その履歴情報が記憶される。
【発明の効果】
【００２０】
本発明によれば、記録媒体を本体から離脱するとき、その履歴情報が記憶されるので、次のような効果を奏する。本体からの離脱が規制されるべき記録媒体の規制が解除されたことを確認することが可能となる。その離脱に関連する履歴情報を確認したうえで、記録媒体における不具合の責任を明確にすることが可能となる。
【００２１】
また本発明によれば、記憶手段は、検出手段の検出結果に基づいて、規制手段が切替えられたときの履歴情報を更新しかつ記憶するので、次のような効果を奏する。本体からの離脱が規制されるべき記録媒体の離脱が許容されたことを確認することが可能となる。規制手段が切替えられたときの履歴情報を確認したうえで、記録媒体における不具合の責任を明確にすることが可能となる。
【００２２】
また本発明によれば、記録媒体を本体から離脱するときの位置情報、または規制手段が許容状態に切替えられたときの位置情報が記憶される。したがって記録媒体を本体から離脱することが許容された場所で、記録媒体が本体から離脱されたのか否かを略特定することが可能となる。このように位置情報を確認したうえで、記録媒体における不具合の責任の明確化を実現することが可能となる。
【００２３】
また本発明によれば、記録媒体を本体から離脱するときの時間情報、または規制手段が切替えられたときの時間情報が記憶される。したがって記録媒体を本体から離脱することが許容された場所での所定時間内において、記録媒体が本体から離脱されたのか否かを略特定することが可能となる。このように時間情報を確認したうえで、記録媒体における不具合の責任の明確化を実現することが可能となる。
【００２４】
また本発明によれば、制御手段は、規制手段が許容状態に切替えられたとき、履歴情報の更新および消去を禁止するように制御する。したがって規制手段が許容状態に切替えられたときの履歴情報を、確実に記憶することができる。
【００２５】
また本発明によれば、規制手段が許容状態に切替えられたとき、制御手段は所定の機器を動作停止させることができる。
【００２６】
また本発明によれば、制御手段には、予め定める識別情報が格納されている。制御手段は、この識別情報と入力手段により入力した情報とが合致すると、動作停止状態にある所定の機器を動作可能にする。逆に、制御手段は、識別情報と入力手段により入力した情報とが合致しないと、所定の機器は動作停止状態を維持する。このように識別情報と入力手段により入力した情報とが合致するか否かによって、機器の動作可能状態または動作停止状態の切替えを行うことができる。したがって履歴情報記憶装置のセキュリティ強化を図ることが可能となる。
【００２７】
また本発明によれば、履歴情報記憶工程において、記録媒体を本体から離脱するとき、その履歴情報が記憶されるので、次のような効果を奏する。本体からの離脱が規制されるべき記録媒体の規制が解除されたことを確認することが可能となる。その離脱に関連する履歴情報を確認したうえで、記録媒体における不具合の責任を明確にすることが可能となる。
【発明を実施するための最良の形態】
【００２８】
図１は、本発明の実施形態に係る履歴情報記憶装置１の制御系のブロック図である。図２は、本体とハードディスクドライブ２とカバー３との関係を概略示す斜視図である。本実施形態は、たとえばハードディスクドライブ（略称ＨＤＤ）などの記録媒体を備える車載用機器などに適用される。本実施形態は、履歴情報記憶方法の説明をも含む。記録媒体としては、ハードディスクドライブだけに必ずしも限定されるものではない。機器は、車載用機器だけに必ずしも限定されるものではない。ハードディスクドライブは、ハードディスク装置と称される場合もある。以後ハードディスクドライブ２を、単に、ハードディスク２という。
【００２９】
車載用機器４は、本体としてのケーシング５、内部コンピュータ６、ハードディスク２、カバー３、オープン検知センサ７、外付けメモリ８、ディスプレイ９、常時電源１０およびアクセサリ電源１１などを有する。履歴情報記憶装置１は、内部コンピュータ６、カバー３、オープン検知センサ７、外付けメモリ８、ディスプレイ９、常時電源１０およびアクセサリ電源１１を含んで構成される。略直方体形状のケーシング５内には、たとえば２基のハードディスク２が内蔵されている。これらハードディスク２に、地図データ、音楽データ、および画像データが書き込みおよび読み出し可能になっている。各ハードディスク２は、ケーシング５からの離脱が規制されている。具体的には、ケーシング５内に各ハードディスク２が搭載された状態で、前記カバー３で閉塞されて保護されている。このカバー３は、ケーシング５に特殊ねじ１２によって固着可能に構成されている。
【００３０】
この特殊ねじ１２は、日本工業規格（略称ＪＩＳ）に規定されていない特殊工具によって螺着可能になっている。しかも本車載用機器４の取扱い説明書およびカタログには、たとえば「お客様の作業によるハードディスクの取り外しは、絶対におやめください。」などの注意事項が記載されている。これらカバー３および特殊ねじ１２が、規制手段に相当する。すなわちカバー３および特殊ねじ１２は、ケーシング５に、許容状態と規制状態とにわたって切替え可能に設けられる。許容状態とは、ケーシング５からハードディスク２の離脱を許容する状態と同義である。規制状態とは、ケーシング５からハードディスク２の離脱が規制される状態と同義である。
【００３１】
ケーシング５には、内部コンピュータ６が格納されている。この内部コンピュータ６は、中央演算処理装置（略称ＣＰＵ：Central Processing Unit）とロム（ＲＯＭ：Read
Only Memory）とラム（ＲＡＭ：Random Access Memory）とから成るマイクロコンピュータ、図示外のバス、入出力インタフェース、および駆動回路を備えている。ＣＰＵとＲＯＭとＲＡＭとは、バスを介して入出力インタフェースに電気的に接続されている。
【００３２】
入出力インタフェースには、オープン検知センサ７および外付けメモリ８がそれぞれ電気的に接続されている。検出手段としてのオープン検知センサ７は、カバー３および特殊ねじ１２が許容状態に切替えられたことを検出可能なセンサであり、たとえばプッシュスイッチによって実現される。プッシュスイッチのスイッチ本体がケーシング５に装備され、プッシュスイッチの突出部がカバー３に臨んで当接するように構成されている。カバー３および特殊ねじ１２が規制状態でこの車載用機器４は市場に出荷され、前記規制状態が継続する限り、プッシュスイッチはオフの状態を維持するように構成される。カバー３および特殊ねじ１２が前記規制状態から許容状態になったとき、前記突出部が変位してプッシュスイッチはオンの状態に切替えられるようになっている。
【００３３】
制御手段としてのＣＰＵは、カバー３および特殊ねじ１２が許容状態に切替えられたとき、後述する履歴情報の更新および消去を禁止するように制御する。またＣＰＵは、カバー３および特殊ねじ１２が許容状態に切替えられたとき、所定の機器（たとえばカーナビゲーションシステム、ラジオ、およびコンパクトディスク装置など）を動作停止させるようになっている。機器の動作停止は、機器の電源をオフにすることと同義である。しかもＣＰＵは、後述する暗証番号の入力があるまで、これら所定の機器の動作停止状態を継承する。前記ＲＯＭには、以上説明した履歴情報の更新および消去を禁止し、かつ所定の機器を動作停止させるとともに、所定の機器の動作停止状態を継承するプログラムが格納されている。前記プログラムの制御主体はＣＰＵである。
【００３４】
前記外付けメモリ８は、たとえばＥＥＰＲＯＭ（Electrically Erasable Programmable Read-Only Memory）によって実現される。このＥＥＰＲＯＭは電気的に書き換え可能なＲＯＭであって、電源を切ってもデータが消えない記録媒体の一つである。外付けメモリ８は、図示外の基板にはんだ付けされて固着されている。本実施形態においては、外付けメモリ８をＥＥＰＲＯＭによって実現しているが、外付けメモリ８は必ずしもＥＥＰＲＯＭだけに限定されるものではない。たとえばフラッシュメモリなどを適用することも可能である。換言すれば、外付けメモリ８をフラッシュメモリによって実現しても、本実施形態と同様の効果を奏する。この外付けメモリ８は、オープン検知センサ７の検出結果に基づいて、カバー３および特殊ねじ１２が許容状態に切替えられたときの履歴情報を記憶するようになっている。この制御主体もＣＰＵである。
【００３５】
ここで履歴情報について説明する。履歴情報は、本車載用機器４つまり車両の位置情報および時間情報の少なくともいずれか一方を含む。位置情報（地図情報ともいう）および時間情報は、車両の移動に伴って時々刻々と変化する。ＲＡＭには、これら地図情報および時間情報が一時的に記憶される。言い換えれば、ＲＡＭは、車載用機器４の地図情報および時間情報を更新しかつ記憶するように構成されている。外付けメモリ８には、ＲＡＭに更新されて記憶される地図情報および時間情報であって、許容状態に切替えられたときの地図情報および時間情報が記憶されるように構成されている。ＲＡＭが第１の記憶手段に相当する。外付けメモリ８が第２の記憶手段に相当する。アクセサリ電源１１は、各機器の未使用時の消費電力を低減するために設けられている。
【００３６】
許容状態に切替えられたときの地図情報および時間情報は、前記外付けメモリ８に記憶されるので、次のような効果を奏する。常時電源１０およびアクセサリ電源１１のスイッチング状態をオフにしても、許容状態に切替えられたときの地図情報および時間情報は、更新または消去されることなく確実に記憶される。外付けメモリ８は、基板にはんだ付けされて固着されるので、車載用機器４およびハードディスク２からの取り外しを困難にしている。したがって許容状態に切替えられたときの地図情報および時間情報を、たとえば車載用機器４を製造するメーカーが読み出し得る確率を高めることができる。
【００３７】
ここで暗証番号について説明する。ＣＰＵは、カバー３および特殊ねじ１２が規制状態から許容状態になったとき、つまりプッシュスイッチがオンの状態になったときに、入出力インタフェースおよび前記駆動回路を介して、ディスプレイ９に暗証番号入力画面を表示させる。具体的にディスプレイ９には、たとえば「暗証番号を入力してください」などの文字が表示される。
【００３８】
本車載用機器４には予め定める識別情報が格納されており、この識別情報に合致する入力情報つまり暗証番号は、メーカーおよび販売店だけが認知している。つまり本車載用機器４のユーザは暗証番号を認識していない。メーカーおよび前記販売店のいずれか一方において、入力すべき暗証番号を図示外のキーから入力することで、動作停止状態にある機器の動作が許容される。換言すればＣＰＵは、入力すべき暗証番号の入力を確認すると、機器の動作停止状態いわゆるセキュリティモードを解除するようになっている。
【００３９】
図３は、履歴情報を記憶するための制御手段の動作を示すフローチャートである。車載用機器４が車両に搭載されて初期設定される条件で、本フローが開始する。本フロー開始後ステップｓ１において、ＣＰＵは、アクセサリ電源１１（略称ＡＣＣ）がオンか否かを判断する。このステップｓ１でＡＣＣがオンと判断されると、ステップｓ２に移行する。ステップｓ２において、ＣＰＵは前述のセキュリティモードであるか否かを判断する。ＣＰＵによってセキュリティモードではないと判断されると、ステップｓ３に移行し、ＣＰＵは、地図情報および時間情報をＲＡＭに一時的に記憶させる。ＲＡＭは、地図情報および時間情報を更新しかつ記憶する。
【００４０】
次にステップｓ４に移行し、ＣＰＵは、オープン検知センサ７がオンの状態になったか否かを判断する。ここでオープン検知センサ７がオンの状態ではない、つまり規制状態であると判断されると、ステップｓ５に移行する。ステップｓ５では、ＣＰＵは所定の機器の動作を許容する。その後ステップｓ１に戻る。ステップｓ４において、オープン検知センサ７がオンの状態になったとＣＰＵが判断すると、ステップｓ６に移行する。このステップｓ６において、ＣＰＵは、ＲＡＭに更新しかつ記憶される地図情報および時間情報を外付けメモリ８に転送する。次にステップｓ７に移行してＣＰＵは所定の機器を動作停止状態にし、ステップｓ８でＣＰＵは前記セキュリティモードに切替える。その後ステップｓ１に戻る。
【００４１】
ステップｓ２において、セキュリティモードであるとＣＰＵが判断すると、ステップｓ９に移行する。このステップｓ９において、ＣＰＵは、ディスプレイ９に暗証番号入力画面を表示させる。次にステップｓ１０に移行し、ＣＰＵは、入力すべき暗証番号入力の有無を判断する。このステップｓ１０において、暗証番号の入力なしとＣＰＵが判断するとステップｓ１に戻る。暗証番号の入力ありとＣＰＵが判断すると、ステップｓ１１に移行し、ＣＰＵはセキュリティモードを解除する。その後ステップｓ５に移行する。
【００４２】
ステップｓ１において、ＡＣＣがオンではないと判断されると、ステップｓ１２に移行する。このステップｓ１２では、ＣＰＵがオープン検知センサ７を後述の外部割込みモードに切替える。次にステップｓ１３に移行し、ＣＰＵは、所定の機器を動作停止状態にする。つまりＣＰＵは所定の機器の電源をオフにする。その後ステップｓ１４に移行し、ＣＰＵはマイクロコンピュータの動作を停止状態にする。
【００４３】
図４は、外部割込み処理を示すフローチャートである。前記ステップｓ１２で外部割込みモードに移行した後、オープン検知センサ７の変化があると、マイクロコンピュータが再起動する。つまりオープン検知センサ７がオンになる条件で、外部割込み処理が開始される。次にステップｓ２０に移行し、ＣＰＵは、所定の機器を動作可能につまり機器の電源をオンにする。次にステップｓ２１に移行し、ＣＰＵは、ＲＡＭに更新しかつ記憶される地図情報および時間情報を外付けメモリ８に転送する。その後ステップｓ２２に移行し、ＣＰＵは所定の機器の電源をオフにする。次にステップｓ２３に移行した後、ＣＰＵによってセキュリティモードに切替えられる。その後、図３に示すメインルーチンのステップｓ１に戻る。
【００４４】
以上説明した履歴情報記憶装置１によれば、ＲＡＭは、地図情報および時間情報を更新しかつ記憶し、外付けメモリ８は、オープン検知センサ７の検出結果に基づいて、カバー３および特殊ねじ１２が許容状態に切替えられたときの地図情報および時間情報を記憶するので、次のような効果を奏する。ケーシング５からの離脱が規制されるハードディスク２の離脱が許容された事実を、前記記憶された地図情報および時間情報から確認することが可能となる。
【００４５】
すなわちメーカーに回収された車載用機器４において、カバー３および特殊ねじ１２が許容状態に切替えられたときの地図情報および時間情報を確認したうえで、ハードディスク２の離脱が許容された場所および時間を略特定することができる。たとえばハードディスク２の離脱がメーカーによって認定されていない場所で、ハードディスク２の離脱が不所望に許容されたことを特定し得る。たとえばハードディスク２の離脱がメーカーによって認定されている販売店の営業時間外に、ハードディスク２の離脱が不所望に許容されたことを特定し得る。したがってハードディスク２における不具合の責任を、ユーザによる責任かメーカーによる責任か明確にすることが可能となる。
【００４６】
第１の記憶手段としてのＲＡＭは、地図情報および時間情報を更新しかつ記憶する。第２の記憶手段としての外付けメモリ８は、オープン検知センサ７の検出結果に基づいて、カバー３および特殊ねじ１２が許容状態に切替えられたときの地図情報および時間情報を記憶する。このようにＲＡＭと外付けメモリ８とを、機能別に分別することで、地図情報および時間情報が不所望に消去されることを確実に防止し得る。またＣＰＵは、カバー３および特殊ねじ１２が許容状態に切替えられたとき、地図情報および時間情報の更新および消去を禁止するように制御する。しかもＣＰＵは、ＲＡＭに更新しかつ記憶される地図情報および時間情報を外付けメモリ８に転送するので、所望の地図情報および時間情報を確実に記憶することが可能となる。
【００４７】
カバー３および特殊ねじ１２が許容状態に切替えられたとき、ＣＰＵは所定の機器を動作停止させることができる。しかもメーカーおよび販売店のいずれか一方において、入力すべき暗証番号を、図示外のキーから入力することで、動作停止状態にある機器の動作が許容される。逆に言えば、暗証番号はユーザが認識していないので、機器が一旦動作停止状態になると、ユーザ自身で機器を動作可能に復帰させることができない。したがって車載用機器４および履歴情報記憶装置１のセキュリティ強化を図ることが可能となる。
【００４８】
本発明の実施の他の形態として、内部コンピュータに、電源を切ってもデータが消えない別の記録媒体を設け、この別の記録媒体に、許容状態に切替えられたときの地図情報および時間情報の少なくともいずれか一方を記憶する構成にすることも可能である。このような内部コンピュータの構成によれば、外付けメモリを省略することができ、機器構造を簡単化することができる。検出手段として、プッシュスイッチ以外のスイッチまたはセンサを適用してもよい。カバー３をケーシング５に固着するためのねじに、検出手段としての機能を付加させる構成にすることも可能である。本実施形態においては、特殊ねじ１２が適用されるが、逆にＪＩＳに規定されるねじを適用してもよい。またねじの代替手段を用いてカバーをケーシングに固着する構造にしてもよい。
【００４９】
規制手段としては、カバーおよび特殊ねじに限定されるものではない。ハードディスクの調整、修理、分解、および改造などを目的としてケーシングから離脱するために必然的に変位または取り外されるべき部材であれば、規制手段として足りる。暗証番号を、メーカーのみが認知するようにしてもよい。
【図面の簡単な説明】
【００５０】
【図１】本発明の実施形態に係る履歴情報記憶装置１の制御系のブロック図である。
【図２】本体とハードディスクドライブ２とカバー３との関係を概略示す斜視図である。
【図３】履歴情報を記憶するための制御手段の動作を示すフローチャートである。
【図４】外部割込み処理を示すフローチャートである。
【符号の説明】
【００５１】
１  履歴情報記憶装置
２  ハードディスク
３  カバー
５  ケーシング
６  内部コンピュータ
７  オープン検知センサ
８  外付けメモリ
１２  特殊ねじ
【図１】
2005251349.tif 000003
【図２】
2005251349.tif 000004
【図３】
2005251349.tif 000005
【図４】
2005251349.tif 000006